(57)【要約】【課題】可動体の動作による演出効果を向上し得る遊技機を提供する。【解決手段】可動演出装置５０は、駆動機構によって揺動軸を中心として待機位置と作動位置との間を揺動する可動体６９を備える。可動体６９に、揺動軸と平行な回転軸を介して２つの可動装飾体７３,８０が回動自在に支持される。各可動装飾体７３,８０は、可動体６９の揺動に伴い姿勢維持機構によって姿勢が一定に維持されるように可動体６９に対して回転される。２つの可動装飾体７３,８０は、可動体６９の待機位置においては斜めに並ぶ状態となるのに対し、可動体６９の作動位置においては上下方向に直線状に並ぶ状態となる。【選択図】図５
2016067395.tif 000002
【特許請求の範囲】
【請求項１】
動作により演出を行う可動演出装置を備えた遊技機において、
前記可動演出装置は、
駆動手段の駆動によって待機位置と作動位置との間を揺動する可動体と、
前記可動体に配設され、該可動体の揺動に伴って作動する作動機構によって可動体の揺動軸線の延在方向と交差する方向に往復移動される作動部材と、
前記可動体に支持されて該可動体の揺動軸線と平行な軸回りに回動自在な装飾体と、
前記作動部材と装飾体とを連繋し、該作動部材の往復移動に伴って装飾体を回転させる姿勢維持機構とを備え、
前記姿勢維持機構は、前記可動体が揺動する際に、前記装飾体が姿勢を一定に維持するように該装飾体を可動体に対して回転させるよう構成された
ことを特徴とする遊技機。
【請求項２】
前記作動機構は、前記可動体の揺動に伴って該可動体に対して相対的に回転する作動歯車と、前記作動部材に設けられて該作動歯車と噛合する作動ラック部とを備えて、作動歯車と作動ラック部との噛合作用下に可動体の揺動に伴って作動部材を往復移動するよう構成され、
前記姿勢維持機構は、前記装飾体に一体回転可能に設けられた回転用歯車と、前記作動部材に設けられて該回転用歯車と噛合する回転用ラック部とを備えて、回転用歯車と回転用ラック部との噛合作用下に作動部材の往復移動に伴って前記可動体に対して装飾体を回転するよう構成され、
前記作動歯車と作動ラック部および回転用歯車と回転用ラック部は、前記可動体の揺動に際して該可動体の回転方向とは反対方向に同一角度で前記装飾体を回転するよう構成された請求項１記載の遊技機。
【請求項３】
前記可動体に、前記作動部材の延在方向に離間して２つの前記装飾体が支持され、
前記可動体の待機位置において２つの装飾体は前記作動部材の延在方向と交差する斜めに並ぶように位置し、前記可動体の作動位置への移動に伴って２つの装飾体の相対位置が変化して作動位置において２つの装飾体が前記作動部材の延在方向に沿って直線状に並んで一連の図柄を形成し得るよう構成された請求項１または２記載の遊技機。
【請求項４】
前記２つの装飾体は、前記可動体の待機位置において斜めに並んでいる状態で、直線状に並んだときと同じ一連の図柄を形成している請求項３記載の遊技機。
【請求項５】
前記可動体に固定的に設けられ、前記作動位置において２つの前記装飾体の間に臨む固定装飾体を備えた請求項３または４記載の遊技機。
【発明の詳細な説明】
【技術分野】
【０００１】
本発明は、動作による演出を行う可動演出装置を備えた遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の窓口を介して複数の図柄を変動表示する液晶式やドラム式等の図柄表示装置を後方から臨ませると共に、該遊技盤における枠状装飾体の下方位置に、パチンコ球(遊技球)の入賞により図柄表示装置での図柄変動を開始させる始動入賞装置(始動入賞手段)や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組み合わせで停止することにより所謂大当りが発生し、前記特別入賞装置が開放して多数の賞球を獲得し得るよう構成される。
【０００３】
また、近年のパチンコ機では、前記枠状装飾体等に、軸を中心として揺動する可動体を備えた可動式の演出装置(可動演出装置)を配設して、該可動体を図柄表示装置での図柄変動演出に合わせて待機位置と作動位置との間で揺動動作させることにより演出効果の向上を図っている(例えば、特許文献１参照)。
【先行技術文献】
【特許文献】
【０００４】
【特許文献１】特開２００６−１６７１７１号公報
【発明の概要】
【発明が解決しようとする課題】
【０００５】
前記特許文献１の可動演出装置では、可動体が揺動するだけであって、動作が単調で興趣のある演出効果は期待できなかった。また可動体は、待機位置と作動位置との間を揺動することで姿勢が変化するため、該可動体の表面に、待機位置または作動位置の一方の位置において正しい姿勢となる意匠を施すと、他方の位置において意匠の姿勢が変化して装飾性を低下させてしまうため、可動体に施し得る意匠が限定されてしまう難点も指摘される。
【０００６】
すなわち本発明は、従来の技術に係る遊技機に内在する前記課題に鑑み、これを好適に解決するべく提案されたものであって、可動体の動作による演出効果を向上し得る遊技機を提供することを目的とする。
【課題を解決するための手段】
【０００７】
前記課題を解決するために、本願の請求項１に記載の発明では、
動作により演出を行う可動演出装置(50)を備えた遊技機において、
前記可動演出装置(50)は、
駆動手段(59)の駆動によって待機位置と作動位置との間を揺動する可動体(69)と、
前記可動体(69)に配設され、該可動体(69)の揺動に伴って作動する作動機構(88)によって可動体(69)の揺動軸線の延在方向と交差する方向に往復移動される作動部材(89)と、
前記可動体(69)に支持されて該可動体(69)の揺動軸線と平行な軸回りに回動自在な装飾体(73,80)と、
前記作動部材(89)と装飾体(73,80)とを連繋し、該作動部材(89)の往復移動に伴って装飾体(73,80)を回転させる姿勢維持機構(92)とを備え、
前記姿勢維持機構(92)は、前記可動体(69)が揺動する際に、前記装飾体(73,80)が姿勢を一定に維持するように該装飾体(73,80)を可動体(69)に対して回転させるよう構成されたことを要旨とする。
【０００８】
請求項１の発明によれば、揺動する可動体に、該可動体の揺動に伴って回転する装飾体を配設したので、可動体の動作による演出効果を向上することができる。しかも、装飾体の姿勢は、可動体の揺動によって変化しないので、該装飾体に施す意匠の自由度が増し、装飾性を高めることができる。
【０００９】
請求項２に記載の発明では、前記作動機構(88)は、前記可動体(69)の揺動に伴って該可動体(69)に対して相対的に回転する作動歯車(90)と、前記作動部材(89)に設けられて該作動歯車(90)と噛合する作動ラック部(91)とを備えて、作動歯車(90)と作動ラック部(91)との噛合作用下に可動体(69)の揺動に伴って作動部材(89)を往復移動するよう構成され、
前記姿勢維持機構(92)は、前記装飾体(73,80)に一体回転可能に設けられた回転用歯車(76,83)と、前記作動部材(89)に設けられて該回転用歯車(76,83)と噛合する回転用ラック部(93,94)とを備えて、回転用歯車(76,83)と回転用ラック部(93,94)との噛合作用下に作動部材(89)の往復移動に伴って前記可動体(69)に対して装飾体(73,80)を回転するよう構成され、
前記作動歯車(90)と作動ラック部(91)および回転用歯車(76,83)と回転用ラック部(93,94)は、前記可動体(69)の揺動に際して該可動体(69)の回転方向とは反対方向に同一角度で前記装飾体(73,80)を回転するよう構成されたことを要旨とする。
請求項２の発明によれば、作動機構および姿勢維持機構として歯車機構を用いたので、簡単な構成で装飾体を適正な姿勢に維持し得る。
【００１０】
請求項３に記載の発明では、前記可動体(69)に、前記作動部材(89)の延在方向に離間して２つの前記装飾体(73,80)が支持され、
前記可動体(69)の待機位置において２つの装飾体(73,80)は前記作動部材(89)の延在方向と交差する斜めに並ぶように位置し、前記可動体(69)の作動位置への移動に伴って２つの装飾体(73,80)の相対位置が変化して作動位置において２つの装飾体(73,80)が前記作動部材(89)の延在方向に沿って直線状に並んで一連の図柄を形成し得るよう構成されたことを要旨とする。
請求項３の発明によれば、斜めの関係で位置する２つの装飾体が直線状に並ぶように変化するインパクトのある動作演出によって興趣をより向上し得る。
【００１１】
請求項４に記載の発明では、前記２つの装飾体(73,80)は、前記可動体(69)の待機位置において斜めに並んでいる状態で、直線状に並んだときと同じ一連の図柄を形成していることを要旨とする。
請求項４の発明によれば、待機位置および作動位置で２つの装飾体により形成される図柄は同じであるので、可動体を動作することで２つの装飾体により形成される図柄を強調することができ、興趣を高め得る。
【００１２】
請求項５に記載の発明では、前記可動体(69)に固定的に設けられ、前記作動位置において２つの前記装飾体(73,80)の間に臨む固定装飾体(95)を備えたことを要旨とする。
請求項５の発明によれば、可動体の揺動に伴う姿勢変化がない装飾体と姿勢変化がある固定装飾体との組み合わせによって装飾性を高めることができる。
【発明の効果】
【００１３】
本発明に係る遊技機によれば、可動体の動作による演出効果が高められ、興趣を向上し得る。
【図面の簡単な説明】
【００１４】
【図１】実施例に係るパチンコ機を示す正面図である。
【図２】実施例に係る遊技盤を示す正面図であって、可動演出装置の可動体が待機位置の状態で示す。
【図３】実施例に係る遊技盤に設置部材を配設した状態での要部縦断側面図である。
【図４】実施例に係る可動演出装置を配設した設置部材を示す概略斜視図である。
【図５】実施例に係る可動演出装置を可動体が待機位置の状態で前側から見た概略斜視図である。
【図６】実施例に係る可動演出装置を可動体が待機位置の状態で示す背面図である。
【図７】実施例に係る可動演出装置を可動体が待機位置の状態で示す平面図である。
【図８】実施例に係る可動演出装置におけるベース部材から可動体および駆動機構を分解した状態で前側から見た概略斜視図である。
【図９】実施例に係る可動演出装置におけるベース部材から可動体および駆動機構を分解した状態で後側から見た概略斜視図である。
【図１０】実施例に係る可動演出装置における可動体と装飾体とを分解した状態で前側から見た概略斜視図である。
【図１１】実施例に係る可動演出装置における可動体と装飾体とを分解した状態で後側から見た概略斜視図である。
【図１２】図６のＡ−Ａ線断面図である。
【図１３】図６のＢ−Ｂ線断面図である。
【図１４】図６のＣ−Ｃ線断面図である。
【図１５】図６のＤ−Ｄ線断面図である。
【図１６】図６のＥ−Ｅ線断面図である。
【図１７】実施例に係る遊技盤の正面図であって、可動演出装置の可動体が作動位置の状態で示す。
【図１８】実施例に係る可動演出装置を可動体が作動位置の状態で前側から見た概略斜視図である。
【図１９】実施例に係る可動演出装置を可動体が作動位置の状態で示す要部背面図である。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」、「上」、「下」とは、特に断りのない限り、図１に示すようにパチンコ機を前側(遊技者側)から見た状態で指称する。
【実施例】
【００１６】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組み付けられると共に、遊技盤２０の後側に、図柄を変動表示可能な表示装置１７(図３参照)が着脱し得るよう配設されている。また、中枠１２の前面側には、遊技盤２０を透視可能に保護する透明部材１３ａを窓部に備えた装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。
【００１７】
前記表示装置１７は、後述する始動入賞口へのパチンコ球の入賞を契機として演出用の図柄(飾図という場合もある)を表示部１７ａに変動表示させる図柄変動演出を行うよう構成される。また表示装置１７では、図柄変動に関連して実行される各種の表示演出(リーチ演出、予告演出、報知演出等)を表示部１７ａに表示し得るようになっている。実施例では、前記表示装置１７として、各種図柄や表示演出に係る画像を表示可能な液晶パネルを収容ケースに収容した液晶表示装置が採用されるが、これに限られるものではなく、有機ＥＬ(Electro-Luminescence)を用いた表示装置、あるいはドラム式の表示装置やドットマトリックス式の表示装置等の各種図柄を停止および変動表示可能な従来公知の各種の表示装置を用いることができる。
【００１８】
前記前枠１３には、図１に示す如く、前記下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に配設された後述する枠状装飾体４２の左側の遊技領域２８をパチンコ球が流下する所謂「左打ち」と、該枠状装飾体４２の右側の遊技領域２８をパチンコ球が流下する所謂「右打ち」とを打ち分け得るようになっている。また、前枠１３の前部には、ＬＥＤ等の発光体による発光演出が可能なランプ装置１８や、音声や効果音を出力可能なスピーカ１９が配設されており、前記表示装置１７での図柄変動演出に合わせてランプ装置１８で発光演出を行ったりスピーカ１９で音声演出を行い得るよう構成されている。
【００１９】
(遊技盤２０について)
前記遊技盤２０は、アクリルやポリカーボネート等の合成樹脂材等からなる透明な平板状の板部材であって、該遊技盤２０の裏側に、合成樹脂材により前方へ開口した箱状に形成されて遊技盤２０との間に収容空間２７を画成する設置部材２２が配設されている(図３参照)。前記遊技盤２０と設置部材２２との間の収容空間２７には、動作により演出を行う可動演出装置５０(後述)や発光により演出を行う発光演出装置(図示せず)等が設置されており、透明な遊技盤２０を介して該遊技盤２０の前面側から当該収容空間２７内の可動演出装置５０を遊技者が目視し得るよう構成されている。なお、前記表示装置１７は、設置部材２２の裏側に取り付けられて、後述するように設置部材２２に設けた開口部(可視部)２２ａおよび枠状装飾体４２(後述)の開口部４２ａを介して遊技盤２０の前側に視認可能に臨むよう構成される。遊技盤２０は、木材板の表面に各種絵柄等が描かれた合成樹脂シート等を貼付けて装飾したものであってもよい。
【００２０】
前記遊技盤２０の前面側には、前面(盤面)に配設された略円形状の案内レール２３によりパチンコ球が流下可能な遊技領域２８が画成されている。案内レール２３は、図２に示すように、遊技盤２０の左下部から右上部に至るよう左方向に膨出する円弧状に形成された外レール２４と、遊技盤２０の右上部、右下部および左上部に至るよう右方向に膨出する円弧状に形成された内レール２５とから構成されている。前記内レール２５は、外レール２４の右上端部に連接して遊技盤２０の右上部から下部に亘って配設され、左端縁が右方に凹む円弧状に形成された盤面飾り部材２５ａと、遊技盤２０の下部から左上部に亘って配設されて盤面飾り部材２５ａの下端部に連接し、前記外レール２４の右方(内側)に離間して位置するレール部材２５ｂとから構成され、該外レール２４およびレール部材２５ｂにより１個のパチンコ球が通過可能な発射通路２６が画成されている。ここで、前記内レール２５を構成するレール部材２５ｂは、前記遊技盤２０の左上部に開放端が臨むよう配置されて、外レール２４との間に遊技領域２８に開口する発射口を画成するよう構成され、前記打球発射装置から発射されたパチンコ球が発射通路２６の下方開口から飛翔して、当該発射口から遊技領域２８内に打ち出されるようになっている。
【００２１】
前記遊技盤２０には、前後に貫通する装着口が前記遊技領域２８内の適宜位置に開設されて、各装着口に対して各種の遊技盤設置部品が配設されている。なお、実施例の遊技盤２０には、遊技盤設置部品として枠状装飾体４２、始動入賞装置３１、特別入賞装置３３、普通入賞部３４、ゲート部３５等を設置する装着口が形成されている。なお、図３には、枠状装飾体４２が設置される装着口２１と、始動入賞装置３１および特別入賞装置３３が設置される装着口２１を図示してある。そして、前記遊技盤２０において遊技領域２８の最下部位置に、該遊技領域２８の最下部位置まで流下したパチンコ球を遊技盤２０の外部に排出するアウト口３６が開設されている。すなわち、前記打球発射装置から発射されて遊技領域２８を流下するパチンコ球が前記遊技盤設置部品に設けられた入球部(始動入賞装置３１、特別入賞装置３３、普通入賞部３４、ゲート部３５等)に入球することにより、入球した入球部に応じた賞球の払い出しや図柄変動演出の実行等の所定の遊技が行われ、遊技領域２８の最下部まで流下したパチンコ球がアウト口３６を介して機外に排出されるよう構成される。なお、前記装着口の形成数は、遊技盤２０に対して取り付けられる遊技盤設置部品の配設位置や配設数等に応じて適宜に決定される。
【００２２】
また、前記遊技盤２０には、前記遊技領域２８内に多数の遊技釘３７が設けられると共に、後述する枠状装飾体４２の左側方に、遊技領域２８を流下するパチンコ球の接触に伴って回転する回転案内部材３８が回転自在に支持されており、遊技釘３７や回転案内部材３８との接触によりパチンコ球の流下方向が不規則に変化するよう構成されている。前記回転案内部材３８は、所謂「風車」とも称される部材であって、該回転案内部材３８の回転に伴ってパチンコ球を弾くように左右方向へ放出する部材である。
【００２３】
実施例の前記遊技盤２０には、図２,図３に示すように、前記案内レール２３で囲まれた遊技領域２８の略中央の大部分が開口する装着口２１に、前後に開口する枠状に形成された枠状装飾体４２が取り付けられ、該枠状装飾体４２の開口部４２ａの後方に、前記設置部材２２の開口部２２ａが位置するようになっている。すなわち、前記枠状装飾体４２の開口部４２ａの後方に前記表示装置１７の表示部１７ａが位置するよう構成されている。
【００２４】
また、前記遊技盤２０には、前記枠状装飾体４２の下方位置(アウト口３６の直上位置)に形成された装着口２１に、遊技領域２８を流下するパチンコ球が入賞可能な第１始動入賞口２９および第２始動入賞口３０が設けられた始動入賞装置３１および特別入賞口３２が設けられた特別入賞装置３３が配設されている。第１始動入賞口２９は、パチンコ球が入賞可能に遊技領域２８内で常に上方開口した常時開放型の入賞口とされており、遊技盤２０の遊技領域２８を流下するパチンコ球の流下態様に応じて任意のタイミングで第１始動入賞口２９にパチンコ球が入球(入賞)し得るよう構成されている。また、第２始動入賞口３０は、該第２始動入賞口３０を図示しない駆動手段の駆動に伴って開放可能に開閉部材３１ａで閉鎖する開閉型の入賞口とされており、遊技盤２０の遊技領域２８を流下するパチンコ球の流下態様および駆動手段の駆動による開閉部材３１ａの開放動作タイミングに応じて第２始動入賞口３０にパチンコ球が入賞し得るよう構成されている。
【００２５】
前記特別入賞装置３３の特別入賞口３２は、該特別入賞口３２を図示しない駆動手段の駆動に伴って開放可能に開閉部材３３ａで閉鎖する開閉型の入賞口とされており、遊技盤２０の遊技領域２８を流下するパチンコ球の流下態様および駆動手段の駆動による開閉部材３３ａの開放動作タイミングに応じて特別入賞口３２にパチンコ球が入賞し得るよう構成されている。
【００２６】
前記遊技盤２０には、前記枠状装飾体４２の左側をパチンコ球が流下する遊技領域２８に、複数の装着口が上下に離間して開設されており、最上部の装着口にゲート部３５が配設されると共に、該ゲート部３５が配設される装着口より下側の複数の装着口には普通入賞口３４ａが夫々設けられた普通入賞部３４が配設されている。ゲート部３５は、パチンコ球が通過可能なゲート入口およびゲート出口が遊技領域２８内で常に上下に開口する常時開放型の入球部とされ、遊技盤２０の遊技領域２８を流下するパチンコ球の流下態様に応じて任意のタイミングでゲート入口をパチンコ球が入球(通過)して、ゲート出口を介して遊技領域２８に排出されるようになっている。また、普通入賞部３４は、パチンコ球が入賞可能な普通入賞口３４ａが遊技領域２８内で常に上方開口する常時開放型の入賞部とされ、遊技盤２０の遊技領域２８を流下するパチンコ球の流下態様に応じて任意のタイミングで普通入賞口にパチンコ球が入球(入賞)し得るようになっている。
【００２７】
前記始動入賞装置３１、特別入賞装置３３および普通入賞部３４の夫々は、各対応の入賞口２９,３０,３２,３４ａに入賞したパチンコ球を検出する入賞検出センサ(図示せず)を備えており、各入賞検出センサがパチンコ機１０の裏側に配設された制御手段に配線接続されている。そして、始動入賞装置３１が備える入賞検出センサの何れかによるパチンコ球の検出(パチンコ球を検出した検出信号の入力)に伴い特図当り判定条件(当り判定条件)が成立するようになっている。そして、特図当り判定条件が成立することで、特図当り(大当りや小当り)を生起させるか否かに関する特図当り判定が行われ、該判定結果が当りであった場合に、前記表示装置１７で行われる図柄変動演出の結果として所定の当り表示(例えば同一図柄の３つ揃い等)で飾図が確定停止表示されて、前記特別入賞装置３３の開閉部材３３ａを開放する遊技者に有利な当り遊技が付与されるよう構成されている。また、実施例のパチンコ機１０では、前記入賞検出センサがパチンコ球を検出することで賞球払出条件が成立するよう構成されており、当該賞球払出条件の成立に伴って制御手段が図示しない払出制御装置に制御信号を出力して、所定数の賞球が前記上球受け皿１４または下球受け皿１５に払い出されるようになっている。
【００２８】
前記ゲート部３５には、ゲート入口に入球して当該ゲート部３５を通過するパチンコ球を検出するゲートセンサ(図示せず)が設けられている。このゲートセンサは、パチンコ機１０の裏側に配設された制御手段に配線接続されており、該ゲートセンサから制御手段への球検出信号の入力(すなわちパチンコ球の検出)に伴って普図当り判定条件が成立するようになっている。そして、普図当り判定条件の成立に伴って普図当りを生起させるか否かに関する普図当り判定が行われ、該判定結果が当りの判定であった場合に、前記始動入賞装置３１の開閉部材３１ａが開放作動されて、第２始動入賞口３０が開放するよう構成されている。なお、実施例では、前記ゲートセンサがパチンコ球を検出することによっては賞球払出条件が成立しないよう設定されており、パチンコ球のゲート部３５の通過に伴って賞球が払い出されないようになっている。
【００２９】
(枠状装飾体４２について)
次に、前記枠状装飾体４２について説明する。前記枠状装飾体４２は、図２,図３に示す如く、前記遊技盤２０に開設された枠状装飾体４２が配設される装着口２１の内側に沿って延在する環状に形成された枠状基部４３と、該枠状基部４３に設けられて前記遊技盤２０の前面より前方に突出し、前記遊技領域２８と表示装置１７の表示部１７ａを区切る庇状部４４と、該庇状部４４の後縁から外方に延出する薄板状の台板部４５とを備える。そして、前記枠状基部４３を装着口２１に挿入すると共に台板部４５を遊技盤２０の前面に当接した状態で、該台板部４５をネジ等の固定手段で遊技盤２０に固定することで、枠状装飾体４２が遊技盤２０に取り付けられて、該枠状装飾体４２の外側、具体的には庇状部４４と案内レール２３との間にパチンコ球が流下する遊技領域２８が画成されるようになっている。なお、枠状装飾体４２を遊技盤２０に取り付けた状態で、庇状部４４の後端縁から外方に延出する台板部４５が遊技盤２０の前面に沿って延在して、該台板部４５の前側をパチンコ球が通り得るよう構成される。また、枠状装飾体４２は、全体が透明な合成樹脂製とされており、透明な遊技盤２０の前側に台板部４５を重ねた状態で、該台板部４５および遊技盤２０を介して裏側を透視可能に構成されている。
【００３０】
前記枠状装飾体４２の庇状部４４は、前記枠状基部４３の全周に亘って連続して延在するよう設けられており、前記遊技領域２８から開口部４２ａ内にパチンコ球が飛び込むのを規制して、前記表示装置１７における表示部１７ａの前側をパチンコ球が移動しないように構成してある。また庇状部４４は、最上部位置から左右方向に下方傾斜するよう形成されて、遊技領域２８に打ち出されたパチンコ球が庇状部４４上で滞ることなく枠状装飾体４２の左側方または右側方へ誘導案内されるよう形成されている。
【００３１】
前記枠状装飾体４２には、図２に示す如く、開口部４２ａの下側(枠状装飾体４２の内周下縁部)に、ステージ４６が配設されると共に、開口部４２ａの左側に、遊技領域２８に開口して該遊技領域２８を流下するパチンコ球を枠状装飾体４２の内側(ステージ４６)に取り込む球導入部４７が設けられ、該球導入部４７がステージ４６に連通するよう構成される。そして、球導入部４７からステージ４６に通出されたパチンコ球は、ステージ４６上を左右に転動した後に、前記始動入賞口２９,３０が設けられている遊技領域２８に排出される。また、前記ステージ４６の後端縁には、左右方向の全長に亘って上側に向けて所定高さで立上がる透明壁４８(図３参照)が設けられ、ステージ４６上を転動するパチンコ球が表示装置１７の表示部１７ａ側に移動するのを該透明壁４８で防止している。また、透明壁４８の上端縁に、前記前枠１３における透明部材１３ａの裏面に近接する位置(透明部材１３ａとの間をパチンコ球が通過できない隙間となる位置)まで張り出す張出部４８ａが設けられており、遊技釘３７に接触して跳ねてステージ４６に飛び込むパチンコ球が表示部１７ａ側に移動するのを該張出部４８ａで防止している。
【００３２】
前記枠状装飾体４２には、図２に示す如く、パチンコ機１０のモチーフとなる意匠が施された複数の装飾部品４９が、前記庇状部４４の内周縁部に設けられている。そして、本実施例では、装飾部品４９、庇状部４４および前記透明壁４８の張出部４８ａによって、前記表示装置１７の表示部１７ａを前側に臨ませる開口部４２ａが画成される。
【００３３】
(設置部材２２について)
前記設置部材(設置部)２２は、図３,図４に示す如く、前記遊技盤２０の外郭形状より小さい略矩形状に形成された背面板４０と、該背面板４０の外周縁部から前方に突出する画壁部４１とから前方に開口した箱状に形成されて、該画壁部４１の開口前端部を遊技盤２０の裏面に当接させた状態で、当該遊技盤２０と設置部材２２とがネジ止め固定される。そして、前記設置部材２２において前記遊技盤２０との間に画成される収容空間２７に、動作により演出を行う可動演出装置５０が設置されて、設置部材２２を基材とする１つのユニットとして扱い得るようになっている。前記設置部材２２の背面板４０には、前記枠状装飾体４２の開口部４２ａと前後に整列する位置に、略矩形状の開口部２２ａが前後に開口するよう開設される。そして、背面板４０の裏面に配設した前記表示装置１７の表示部１７ａが、前記開口部２２ａおよび開口部４２ａを介して遊技盤２０の前側に臨むようになっている。なお、以下の説明では、設置部材２２の背面板４０について、開口部２２ａに対する上下左右の各部位を、上板部,下板部,左板部,右板部と指称して区別する場合もある。
【００３４】
(可動演出装置５０について)
図４に示す如く、前記設置部材２２における背面板４０の上板部に前記可動演出装置５０が配設されている。可動演出装置５０は、装飾体７３,８０,９５が配設された可動体６９を備え、該可動演出装置５０は、可動体６９を、装飾体７３,８０,９５が上板部の前側で前記表示装置１７の表示部１７ａの上辺側に位置する待機位置(図２)と、該装飾体７３,８０,９５が表示部１７ａの前側に重なる作動位置(図１７)との間で移動させる動作により演出を行い得るよう構成されている。実施例では、可動体６９の待機位置において装飾体７３,８０,９５は前記枠状装飾体４２における庇状部４４内の右上隅部位置し、可動体６９の作動位置において装飾体７３,８０,９５は枠状装飾体４２の開口部４２ａの左右方向の中央に位置するようになっている。
【００３５】
(ベース部材５１について)
前記可動演出装置５０は、該可動演出装置５０を構成する部材の設置基盤となるベース部材５１と、所定の演出動作を行う前記可動体６９と、この可動体６９を動作させる駆動機構５８と、可動体６９に動作可能に配設された可動装飾体７３,８０と、該可動装飾体７３,８０を可動体６９の動作に伴って回転させる姿勢維持機構９２とを備えている。前記ベース部材５１は、前記背面板４０における上板部の前側で左右方向に延在する長尺な部材であって、該ベース部材５１が上板部にネジ止め固定されている。また、ベース部材５１は、図８,図９に示す如く、平板状の前壁５１ａの周縁に後方に突出する側壁５１ｂを設けて後側に開放する箱状に形成されている。ベース部材５１の形状を具体的に説明すると、該ベース部材５１は、右端部に上下方向の寸法が大きく設定された駆動機機取付部５２が形成されると共に、該駆動機機取付部５２より上下方向の寸法が小さく設定された横支持部５３が駆動機構取付部５２から左方向に所定長さで延在するよう形成されている。そして、駆動機構取付部５２および横支持部５３に設けられた複数の固定部５１ｃを、前記上板部(背面板４０)にネジ止め固定することで、可動演出装置５０が設置部材２２に位置決め固定される。すなわち、可動演出装置５０は、設置部材２２に対してベース部材５１を介して着脱可能なユニット構造になっている。
【００３６】
前記ベース部材５１は、横支持部５３における駆動機構取付部５２から左方に離間する途中位置が前側に折曲されて平面視においてクランク形状に形成されており(図７参照)、折曲部５３ａを挟んで左側の前壁５１ａに対して右側の前壁５１ａが一段後側に偏倚している。そして、折曲部５３ａより右側の前壁５１ａを後側に偏倚することで該前壁５１ａの前側に、折曲部前面から後側に所定長さの奥行きを有するベース側収容部５４が画成される。このベース側収容部５４は前および上下に開放しており、図７,図１６に示す如く、前記駆動機機５８を構成する後述する作動アーム６４の一部が該ベース側収容部５４に収容されるようになっている。なお、ベース側収容部５４を画成する前壁５１ａの前面には、図８に示す如く、上下方向に延在する複数のリブ５５が左右方向に離間して突設されており、該リブ５５によって作動アーム６４を支持するよう構成される。また、前記横支持部５３には、前壁５１ａの裏側に板金からなる補強板５６が配設されて、当該ベース部材５１が補強されている。
【００３７】
前記ベース部材５１の左端部には、図１２,図１４に示す如く、前壁５１ａから前側に所定間隔離間して軸支持部材５７が該前壁５１ａに対向して配設されており、該軸支持部材５７と前壁５１ａとの間に、前記可動体６９の長手方向の一端部が、前後方向に延在する揺動軸７０を介して回動自在に支持されている。そして、ベース部材５１に配設された前記駆動機構５８によって可動体６９は、該可動体６９の長手方向が左右方向に延在する待機位置(図５,図６参照)と、該可動体６９の長手方向が上下方向に延在する作動位置(図１８,図１９参照)との間を揺動されるようになっている。
【００３８】
(駆動機構５８について)
前記駆動機構５８は、図８,図９に示す如く、前記ベース部材５１の駆動機構取付部５２の前壁５１ａの裏側に配設されて出力軸を前壁５１ａから前側に突出させた駆動モータ(駆動手段)５９と、ベース部材５１に配設されて駆動モータ５９の回転力を前記可動体６９に伝達する伝達機構６０とを備える。伝達機構６０は、前記駆動モータ５９の出力軸に連結された駆動歯車６１と、該駆動歯車６１に噛合する減速歯車６２と、該減速歯車６２と噛合する揺動用歯車６３と、該揺動用歯車６３に長手方向の一端部が連繋された作動アーム６４とを備える。なお、減速歯車６２および揺動用歯車６３は、駆動機構取付部５２の前壁５１ａから前側に所定間隔離間して配設された歯車支持部材６５と該前壁５１ａとの間に回動自在に支持されている。減速歯車６２は、大径歯車６２ａと、該大径歯車６２ａより小径の小径歯車６２ｂとを軸方に一体形成した歯車であって、大径歯車６２ａが駆動歯車６１に噛合すると共に、小径歯車６２ｂが揺動用歯車６３に噛合している。また、揺動用歯車６３は、セクター歯車であって、該揺動用歯車６３には、回転軸を挟んで歯部が形成された部分とは反対側に延出する連繋部６３ａが設けられており、該連繋部６３ａに前記作動アーム６４が連繋されている。この作動アーム６４は、図７,図８,図９に示す如く、前記ベース部材５１に沿って延在する左右方向に長尺な部材であって、長手方向の一端部(右端部)が揺動用歯車６３の連繋部６３ａに回動自在に連繋されると共に、長手方向の他端部(左端部)が前記可動体６９の後述する連繋部６９ａに回動自在に連繋されている。すなわち、駆動モータ５９を正転方向および逆転方向に回転駆動することで、揺動用歯車６３の回転によって作動アーム６４が左右方向に移動するのに伴って可動体６９が揺動軸７０(揺動軸線)を中心として揺動するよう構成される。なお、駆動モータ５９の回転方向について、可動体６９を待機位置から作動位置へ移動させる方向を正転方向、可動体６９を作動位置から待機位置へ移動させる方向を逆転方向と指称する場合もある。
【００３９】
ここで、前記作動アーム６４は、図７に示す如く、前記ベース部材５１の折曲部５３ａと対応する途中位置において前側に折曲された折曲部６４ａが設けられており、該折曲部６４ａから右端(揺動用歯車６３の連繋部６３ａに連繋される端部)までの部分は、折曲部６４ａから左側の部分より一段後側に偏倚している。そして、作動アーム６４における後側に偏倚した後偏倚部６４ｂが、ベース部材５１の前側に画成されている前記ベース側収容部５４に収容されて、該作動アーム６４における後偏倚部６４ｂの前側への突出寸法が小さく抑えられるようになっている。また、後偏倚部６４ｂの前側に、折曲部前面から後側に所定長さの奥行きを有するアーム側収容部６６が前および上下に開放するように画成されており、該アーム側収容部６６に後述する固定装飾体９５の一部が収容されるようになっている(図１６参照)。なお、ベース部材５１のベース側収容部５４に収容される作動アーム６４の後偏倚部６４ｂの裏面は、ベース部材５１に形成された前記リブ５５に接触して後方への変位が防止されるよう構成されている。
【００４０】
図８に示す如く、前記揺動用歯車６３に検出片６３ｂが設けられ、該検出片６３ｂは、前記歯車支持部材６５に配設された検出手段６７によって検出可能に構成されている。検出手段６７は、前記制御手段に配線接続されており、該検出手段６７からの検出信号の入力に基づいて制御手段が前記駆動モータ５９を駆動制御し得るよう構成される。前記検出片６３ｂは、前記可動体６９の待機位置において検出手段６７で検出されて、該検出手段６７の検出信号の入力に基づいて駆動モータ５９を制御手段が停止制御することで、可動体６９を待機位置(図５,図６参照)に停止保持し得るよう構成される。駆動モータ５９としてステッピングモータが採用され、該駆動モータ５９の駆動によって待機位置から移動を開始した可動体６９を、移動パルス信号の制御によって作動位置(図１８,図１９参照)で停止するように駆動モータ５９を制御手段で駆動制御し得るよう構成されている。
【００４１】
前記ベース部材５１の駆動機構取付部５２の前壁５１ａに、図８に示す如く、前後方向に貫通する弧状の貫通孔５２ａが形成されると共に、前記揺動用歯車６３の連繋部６３ａに、該貫通孔５２ａから前壁裏側に突出するバネ係止部６３ｃが設けられている。そして、バネ係止部６３ｃにおける貫通孔５２ａから前壁裏側に突出する端部に、前壁裏側に設けたバネ固定部５１ｄ(図９参照)に一端が係止された復帰補助手段としての第１コイルバネ６８の他端が係止されている。そして、第１コイルバネ６８によって揺動用歯車６３には、前記可動体６９を作動位置から待機位置に向けて移動する方向へ回転する付勢力が常に付与されるよう構成される。なお、貫通孔５２ａはバネ係止部６３ｃの回動軌道に沿って形成されると共に、第１コイルバネ６８は前壁５１ａの後側に配置されており(図１６参照)、該第１コイルバネ６８が作動アーム６４と接触して動作を阻害することがないようにしてある。
【００４２】
(可動体６９について)
前記可動体６９は、待機位置において左右方向に延在する長尺な部材であって、図１２に示す如く、長手方向の一端部(待機位置の左端部)が前記ベース部材５１と軸支持部材５７との間に配設された前記揺動軸７０に回動自在に支持されて、該可動体６９は揺動軸７０(揺動軸線)を中心として揺動可能に構成される。可動体６９には、揺動軸７０による支持部から径方向に離間するように延出する連繋部６９ａが形成されており、該連繋部６９ａに、前記作動アーム６４の左端部(他端部)が回動自在に連繋されている。そして、前記駆動機構５８の作動アーム６４が左右方向に往復移動するのに伴って可動体６９は、長手方向が左右に延在する待機位置(図５,図６参照)と、該長手方向が上下に延在する作動位置(図１８,図１９参照)との間を揺動するよう構成される。なお、可動体６９は、待機位置において作動アーム６４の下側に略重なるように位置している(図１４〜図１６参照)。
【００４３】
前記可動体６９の連繋部６９ａは、図５に示す可動体６９の待機位置において揺動軸７０の左上方に位置しており、作動アーム６４が右方向に移動するのに伴って可動体６９は、揺動軸７０を中心として時計回り方向に回転して待機位置から作動位置に至り、作動アーム６４が左方向に移動するのに伴って可動体６９は、揺動軸７０を中心として反時計回り方向に回転して作動位置から待機位置に至るようになっている。また、可動体６９には、揺動軸７０での支持部に近接して前側に突出する規制部６９ｂが設けられており、該規制部６９ｂは、作動位置において前記軸支持部材５７に設けられたゴム等の緩衝部材５７ａに当接するよう構成される(図１８参照)。なお、可動体６９について、以後、揺動軸７０で支持される一端部側を支持端部と指称すると共に、他端部側を延出端部と指称する場合がある。
【００４４】
前記可動体６９は、図８〜図１１に示す如く、平板状の前壁６９ｃの周縁に後方に突出する側壁６９ｄを設けて後側に開放する箱状に形成されて、該前壁６９ｃおよび側壁６９ｄで画成される空間に、後述する作動部材８９や歯車７６,８３等が収容されるようになっている。また、可動体６９の前壁６９ｃの裏面には、図１５に示す如く、下縁側の側壁６９ｄから離間すると共に該側壁６９ｄに沿って壁部６９ｅが突設されて、該側壁６９ｄと壁部６９ｅとの間に配線通路７１が後方に開放するように形成されており、後述する装飾体７３,８０,９５に配設された発光基板７９,８６,９８に接続される配線が該配線通路７１内を引き回されるよう構成してある。なお、配線通路７１の後方開口は側壁６９ｄおよび壁部６９ｅの後部に着脱自在に取り付けられた蓋部材７２によって閉塞されており、配線通路７１内を引き回される配線が後方に延出しないようにしてある。また、可動体６９は、図８および図１０に示す如く、長手方向の略中間から延出端部までの前壁６９ｃが、支持端部側の前壁６９ｃより一段後側に偏倚するように形成されており、両前壁６９ｃ,６９ｃを区別する場合は、前側に出ている前壁６９ｃを第１前壁６９ｃと指称すると共に、後側に偏倚している前壁６９ｃを第２前壁６９ｃと指称する場合がある。
【００４５】
前記可動体６９には、所要の意匠が形成された可動装飾体(装飾体)７３,８０が、前記揺動軸７０と平行な回転軸７４,８１(図１２参照)を介して回動自在に支持されており、該可動装飾体７３,８０が、可動体６９の揺動に伴って作動する後述の作動機構８８によって回転されるようになっている。すなわち、可動体６９に支持される可動装飾体(装飾体)７３,８０は、該可動体６９の揺動軸線と平行な軸回りに回動自在に構成されている。実施例では、可動体６９に、該可動体６９の長手方向(延在方向)に離間して２つの可動装飾体７３,８０が配設されており、揺動軸７０に近い方を第１可動装飾体７３と指称すると共に遠い方を第２可動装飾体８０と指称するものとする。
【００４６】
(第１可動装飾体７３について)
前記可動体６９には、図８,図１０,図１５に示す如く、前記第１前壁６９ｃに円筒状の第１軸支部７５が設けられており、該第１軸支部７５に、第１可動装飾体７３の裏側に設けた第１回転軸(回転軸)７４が前側から挿通されて回動自在に支持されている。また、第１軸支部７５から後側に突出する第１回転軸７４の端部に、後述する第１回転用ラック部９３に噛合する第１回転用歯車(回転用歯車)７６が一体で回転するよう固定されると共に、該第１回転用歯車７６によって第１回転軸７４の第１軸支部７５からの抜け止めがなされている。
【００４７】
前記第１可動装飾体７３は、図１０,図１１,図１５に示す如く、最前面に位置する第１装飾カバー体７７と、該第１装飾カバー体７７の裏側に配設された第１ベース体７８と、該第１装飾カバー体７７と第１ベース体７８との間に配設された第１発光基板７９とを備える。第１ベース体７８の裏面には、後方に突出するように前記第１回転軸７４が設けられており、該第１回転軸７４が前記第１軸支部７５に前側から挿通されて、当該第１可動装飾体７３が可動体６９の前側で回転し得るようになっている。前記第１装飾カバー体７７には、パチンコ機１０のモチーフに合わせた文字や図形等の第１図柄７７ａが形成されている。実施例では、第１装飾カバー体７７を光透過性を有する合成樹脂素材で形成したもとで、第１図柄７７ａを除く部分の表面にメッキ塗装等を施すことで、第１図柄７７ａの部分のみが光透過性を有するよう構成してある。第１発光基板７９の前面には、ＬＥＤ等の複数の第１発光体７９ａが、第１図柄７７ａに対応して配設されており、該第１発光体７９ａの発光により第１図柄７７ａが明輝されるよう構成される。実施例の第１図柄７７ａは、前記第２可動装飾体８０の後述する第２装飾カバー体８４に形成された第２図柄８４ａとによって意味のある一連の図柄を形成するよう構成される。なお、第１可動装飾体７３は、第１装飾カバー体７７と第１発光基板７９との間に、第１発光体７９ａからの光を拡散する光透過性の光拡散部材７３ａを備えている。
【００４８】
(第２可動装飾体８０について)
前記可動体６９には、図１２に示す如く、前記第２前壁６９ｃに第２軸支部８１ａが設けられており、該第２軸支部８１ａに支持されて後方に突出する第２回転軸(回転軸)８１に、第２可動装飾体８０の裏側に配設された保持部材８２の長手方向の一端部が回動自在に支持されている。保持部材８２は、図１６に示す如く、一端に第２回転軸８１が回動可能に挿通される通孔８２ａが形成されると共に第２前壁６９ｃと平行に延在する延在部８２ｂと、該延在部８２ｂの延出端部に形成されて前側に延在する保持部８２ｃとからなり、該保持部８２ｃに第２可動装飾体８０が一体的に移動するように配設されている。また、保持部材８２の延在部８２ｂには、第２回転軸８１と同軸で、後述する第２回転用ラック部９４に噛合する第２回転用歯車(回転用歯車)８３が一体に設けられている。
【００４９】
ここで、前記保持部８２ｃは、図１６に示す如く、第２可動装飾体８０を前記第１可動装飾体７３と前後方向で略同じ位置に臨ませる長さに設定されており、第２回転軸８１を中心として保持部材８２が回転することで、第２可動装飾体８０が前記可動体６９の前側で回転し得るようになっている。また、保持部材８２における延在部８２ｂの長さは、該保持部材８２が第２回転軸８１を中心として回転する際に保持部８２ｃが可動体６９および後述する固定装飾体９５と干渉しない長さ寸法に設定されている。
【００５０】
前記第２可動装飾体８０は、図１０,図１１,図１６に示す如く、最前面に位置する第２装飾カバー体８４と、該第２装飾カバー体８４の裏側に配設された第２ベース体８５と、該第２装飾カバー体８４と第２ベース体８５との間に配設された第２発光基板８６とを備える。そして、前記保持部材８２の保持部８２ｃが第２ベース体８５の裏面に固定されて、該保持部材８２と第２可動装飾体８０とが一体で回転するようになっている。前記第２装飾カバー体８４には、パチンコ機１０のモチーフに合わせた文字や図形等の第２図柄８４ａが形成されている。実施例では、第２装飾カバー体８４を光透過性を有する合成樹脂素材で形成したもとで、第２図柄８４ａを除く部分の表面にメッキ塗装等を施すことで、第２図柄８４ａの部分のみが光透過性を有するよう構成してある。第２発光基板８６の前面には、ＬＥＤ等の複数の第２発光体８６ａが、第２図柄８４ａに対応して配設されており、該第２発光体８６ａの発光により第２図柄８４ａが明輝されるよう構成される。そして、第２図柄８４ａは、前記第１可動装飾体７３に設けた前記第１図柄７７ａとによって意味のある一連の図柄を形成するようになっている。
【００５１】
(作動機構８８について)
前記可動体６９の前壁６９ｃに、該可動体６９の長手方向に離間して複数の案内部８７が形成されており、前壁６９ｃの裏側において該前壁６９ｃに沿って延在する長尺な作動部材８９が、該案内部８７を介して可動体６９の長手方向に移動自在に支持されている。案内部８７は、図１０,図１１に示す如く、可動体６９の長手方向に延在する長孔であって、作動部材８９に設けた案内部材８９ａを対応する長孔に摺動自在に挿通することで、作動部材８９は長孔(案内部８７)に沿って可動体６９の長手方向に移動し得るよう構成される(図１３参照)。
【００５２】
前記ベース部材５１に、前記揺動軸７０と同軸で作動歯車９０が回転しないように配設固定されている。また、前記作動部材８９における可動体６９の支持端部に近接する位置に、該作動歯車９０に噛合する作動ラック部９１が作動部材８９の長手方向に所定長さで形成されている。すなわち、可動体６９が揺動軸７０を中心として揺動する際には、該可動体６９に対して相対的に回転する作動歯車９０と作動ラック部９１との噛合作用下に作動部材８９が可動体６９に対して往復移動するよう構成される。実施例では、作動歯車９０と作動ラック部９１とによって、可動体６９の揺動に伴って作動して作動部材８９を揺動軸７０と交差する方向に往復移動させる作動機構８８が構成されている。また、図１３に示す如く、作動部材８９に設けたバネ係止部８９ｂに一端が係止された第２コイルバネ９９の他端が、前記可動体６９に設けたバネ係止部６９ｆに係止されており、該第２コイルバネ９９によって作動部材８９には、可動体６９に対して一定方向の付勢力が常に付与されるよう構成される。
【００５３】
(姿勢維持機構９２について)
前記作動部材８９に、図６に示す如く、前記第１可動装飾体７３と一体的に回転する前記第１回転用歯車７６と噛合する第１回転用ラック部(回転用ラック部)９３が、作動部材８９の長手方向に所定長さで形成されている。そして、可動体６９の揺動に伴って前記作動機構８８によって作動部材８９が往復移動することで、第１回転用ラック部９３と第１回転用歯車７６との噛合作用下に可動体６９に対して第１可動装飾体７３が回転するよう構成される。第１回転用ラック部９３に噛合する第１回転用歯車７６は、作動部材８９の往復移動時には可動体６９の回転方向とは反対方向に同一角度で第１可動装飾体７３を回転するよう設定されており、可動体６９が待機位置と作動位置との間を揺動する間に亘って第１可動装飾体７３と可動体６９との相対的な回転によって第１可動装飾体７３の姿勢が一定に維持されるようになっている(図５,図１８参照)。すなわち、実施例では第１回転用ラック部９３と第１回転用歯車７６とによって、作動部材８９の往復移動に伴って第１可動装飾体７３を回転させる姿勢維持機構９２が構成される。
【００５４】
前記作動部材８９に、図６に示す如く、前記第２可動装飾体８０と一体的に回転する前記第２回転用歯車８３と噛合する第２回転用ラック部(回転用ラック部)９４が、作動部材８９の長手方向に所定長さで形成されている。そして、可動体６９の揺動に伴って前記作動機構８８によって作動部材８９が往復移動することで、第２回転用ラック部９４と第２回転用歯車８３との噛合作用下に可動体６９に対して第２可動装飾体８０が回転するよう構成される。第２回転用ラック部９４に噛合する第２回転用歯車８３は、作動部材８９の往復移動時には可動体６９の回転方向とは反対方向に同一角度で第２可動装飾体８０を回転するよう設定されて、可動体６９が待機位置と作動位置との間を揺動する間に亘って第２可動装飾体８０と可動体６９との相対的な回転によって第２可動装飾体８０の姿勢は一定に維持されるようになっている。すなわち、実施例では第２回転用ラック部９４と第２回転用歯車８３とによって、作動部材８９の往復移動に伴って第２可動装飾体８０を回転させる姿勢維持機構９２が構成される。
【００５５】
ここで、前記可動体６９が前記背面板４０における上板部の前側において左右方向に延在する待機位置において、前記第１可動装飾体７３および第２可動装飾体８０は、図２,図５に示す如く、前記作動部材８９(可動体６９)の延在方向と交差する斜めに並ぶように位置している。実施例では、第１可動装飾体７３の右斜め下側に第２可動装飾体８０が位置して、両可動装飾体７３,８０に形成された２つの図柄７７ａ,８４ａによって一連の図柄を形成するよう構成される。また、前記可動体６９が待機位置から回転して上下方向に延在する作動位置となった状態において、第１可動装飾体７３および第２可動装飾体８０は、図１７,図１８に示す如く、前記作動部材８９(可動体６９)の延在方向に沿って直線状に並ぶように位置している。実施例では、第１可動装飾体７３の下側に第２可動装飾体８０が位置して、両可動装飾体７３,８０に形成された２つの図柄７７ａ,８４ａによって一連の図柄を形成するよう構成される。すなわち、２つの可動装飾体７３,８０は、可動体６９の待機位置において斜めに並んでいる状態と、作動位置において直線状に並んでいる状態とで、同じ一連の図柄を形成するようになっている。また、可動体６９に対して第２可動装飾体８０を保持部材８２を介して回動自在に配設して、該第２可動装飾体８０の中央から径方向に離間する位置を回転中心とすることで、可動体６９の待機位置では第２可動装飾体８０が第１可動装飾体７３に近接するのに対し、可動体６９の作動位置では第２可動装飾体８０が第１可動装飾体７３から離間して両可動装飾体７３,８０の間に後述する固定装飾体９５が前側に露出する隙間があくよう構成されている。なお、実施例では、前記可動装飾体７３,８０の図柄７７ａ,８４ａとして文字が表されて、２つの図柄７７ａ,８４ａによって意味のある語句が形成されるようにしてある。
【００５６】
(固定装飾体９５について)
前記可動体６９における前記第２前壁６９ｃの前面に、固定装飾体９５が配設されている。この固定装飾体９５は、可動体６９に対して相対的な位置が変わらないように固定されており、可動体６９の回転に伴って前側から見える姿勢が変化するようになっている。固定装飾体９５は、図１２,図１６に示す如く、前記第１および第２可動装飾体７３,８０と干渉しないように両可動装飾体７３,８０より後側に位置すると共に、両可動装飾体７３,８０の一部が前側に重なる位置関係に設定されている(図５参照)。また、固定装飾体９５は、可動体６９の待機位置において、第１可動装飾体７３の右側で第２可動装飾体８０の上側に位置し(図５参照)、可動体６９の作動位置では上下に並ぶ第１および第２可動装飾体７３,８０の間に位置するようになっている(図１７,図１８参照)。なお、可動体６９の待機位置において、固定装飾体９５における可動体６９から上方に延出する部分が、前記作動アーム６４における後偏倚部６４ｂの前側に画成されているアーム側収容部６６に収容されている。
【００５７】
前記固定装飾体９５は、図１０,図１１,図１６に示す如く、最前面に位置する固定装飾カバー体９６と、該固定装飾カバー体９６の裏側に配設された固定発光基板９８とを備える。固定装飾カバー体９６には、パチンコ機１０のモチーフに合わせた文字や図形等の固定図柄９６ａが形成されている。実施例では、固定装飾カバー体９６を光透過性を有する合成樹脂素材で形成したもとで、固定図柄９６ａを除く部分の表面にメッキ塗装等を施すことで、固定図柄９６ａの部分のみが光透過性を有するよう構成してある。固定発光基板９８の前面には、ＬＥＤ等の複数の固定発光体９８ａが、固定図柄９６ａに対応して配設されており、該固定発光体９８ａの発光により固定図柄９６ａが明輝されるよう構成される。
【００５８】
前記固定装飾体９５に形成される固定図柄９６ａは、前記可動体６９の待機位置と作動位置とで姿勢が変化しても遊技者に与える違和感が小さい形状に形成されている。実施例では、可動体６９の待機位置と作動位置とでは、固定装飾体９５の姿勢が９０度変わるようになっており、固定図柄９６ａは、９０度の姿勢変化によって見ための印象が大きく変わらない形状になっている。
【００５９】
〔実施例の作用〕
次に、前述した実施例に係るパチンコ機１０の作用につき説明する。
【００６０】
前記前枠１３に設けられた前記操作ハンドル１６の操作レバー１６ａを遊技者が回転操作すると、前記打球発射装置から発射されたパチンコ球が前記遊技盤２０の遊技領域２８内に打ち出される。この遊技領域２８に打ち出されたパチンコ球は、前記枠状装飾体４２の外周囲を流下し、該パチンコ球が前記始動入賞口２９,３０に入賞すると、前記制御手段の制御に基づいて前記表示装置１７の表示部１７ａにおいて図柄が変動開始され、所要の図柄変動演出が展開される。表示部１７ａで展開される図柄変動演出の結果、該表示部１７ａに所定の図柄組合わせで図柄が停止表示されたときに大当りが発生する。そして、大当りが発生すると、表示装置１７の表示部１７ａに表示された図柄組み合わせ(大当りの種類)に応じて、前記特別入賞装置３３の特別入賞口３２が異なるパターンで開放され、遊技者は多くの賞球が獲得可能となる。
【００６１】
前記表示装置１７の表示部１７ａで展開される図柄変動演出に応じて、前記制御手段の制御に基づいて前記可動演出装置５０の可動体６９が動作されて動的な演出により遊技の興趣が高められる。また、可動体６９に配設した装飾体７３,８０,９５が備える発光体７９ａ,８６ａ,９８ａが、制御手段の制御に基づいて発光したり点滅する発光演出が行われることで、遊技の興趣がより高められる。
【００６２】
前記可動演出装置５０は、前記可動体６９の待機位置では、図２,図４,図５に示す如く、前記第１可動装飾体７３および第２可動装飾体８０が、前記表示装置１７の表示部１７ａの上辺側において斜めの関係で並んでいる。可動演出装置５０は、前記駆動モータ５９が正逆方向に回転駆動されて、前記揺動用歯車６３の回転に伴って前記作動アーム６４が第１コイルバネ６８の弾力に抗して右方向に移動されると、前記可動体６９は前記揺動軸７０を中心として時計回り方向に回転し、該可動体６９に配設されている第１および第２可動装飾体７３,８０および固定装飾体９５が前記表示部１７ａの前側に重なるように移動する(図１７参照)。
【００６３】
前記可動体６９の回転に伴って作動歯車９０に作動ラック部９１が噛合する作動部材８９が移動することで、該作動部材８９に設けられた第１回転用ラック部９３に第１回転用歯車７６が噛合する第１可動装飾体７３および第２回転用ラック部９４に第２回転用歯車８３が噛合する第２可動装飾体８０の夫々が反時計回り方向に回転する。回転用ラック部９３,９４に噛合する各回転用歯車７６,８３は、可動体６９の回転方向に対して各可動装飾体７３,８０が反対方向に同一角度だけ回転するよう構成してあるので、各可動装飾体７３,８０は姿勢を一定に維持したまま移動する。なお、前記可動体６９に対して相対的に移動する作動部材８９には、前記第２コイルバネ９９の付勢力が常に付与されているので、各回転用ラック部９３,９４と対応する各回転用歯車７６,８３との適正な噛合状態が維持されて、各可動装飾体７３,８０の姿勢が維持される。
【００６４】
前記駆動モータ５９が予め設定された回転数(パルス数)だけ回転すると、前記制御手段により駆動モータ５９が停止制御され、前記可動体６９が作動位置で停止する。可動体６９の作動位置では、図１７,図１８に示す如く、前記第１可動装飾体７３の直下に第２可動装飾体８０が並ぶよう位置すると共に、上下の可動装飾体７３,８０の間に固定装飾体９５が位置して、３つの装飾体７３,８０,９５が上下に並ぶように保持される。なお、可動体６９が作動位置に至ったときに、前記規制部６９ｂが軸支持部材５７に設けた緩衝部材５７ａに当接して、該可動体６９を作動位置で確実に停止させることができる。
【００６５】
前記駆動モータ５９が逆転方向に回転駆動されると、前記作動アーム６４が左方向に移動されるのに伴って前記可動体６９が揺動軸７０を中心として反時計回り方向に回転することで、該可動体６９に配設されている装飾体７３,８０,９５が上昇する。可動体６９の反時回り方向の回転に伴って第１可動装飾体７３および第２可動装飾体８０は、前記姿勢維持機構９２によって時計回り方向に回転することで一定の姿勢を維持したまま第１可動装飾体７３の右斜め下側に第２可動装飾体８０が移動する。そして、前記検出手段６７が検出片６３ｂを検出することで、前記制御手段が駆動モータ５９を停止制御し、可動体６９は前記表示部１７ａの上辺側に退避した待機位置に保持される。
【００６６】
ここで、前記可動体６９を作動位置から待機位置に回転させる際には、前記駆動機構５８を構成する揺動用歯車６３は、該揺動用歯車６３とベース部材５１との間に張設した第１コイルバネ６８により可動体６９を待機位置に向けて回転する方向に付勢される。従って、前記駆動モータ５９に加わる負荷を軽減することができる。
【００６７】
また、前記ベース部材５１の左端部に可動体６９を揺動軸７０を介して回動自在に支持すると共に、該ベース部材５１の右端部に駆動モータ５９により回転される揺動用歯車６３を回動自在に支持し、左右方向に離間する可動体６９の連繋部６９ａと揺動用歯車６３の連繋部６３ａとを作動アーム６４によって連繋するよう構成しているので、複数の装飾体７３,８０,９５を備える重量のある可動体６９を小さな力によって回転させることができる。すなわち、実例例の駆動機構５８では、可動体６９を回転させる場合の作用点(可動体６９の連繋部６９ａと作動アーム６４との連繋位置)と力点(揺動用歯車６３の連繋部６３ａと作動アーム６４との連繋位置)とを、可動体６９の長さと略同じ程度に設定しているので、駆動モータ５９に加わる負荷を小さくすることができる。
【００６８】
実施例のパチンコ機１０では、揺動する可動体６９に、該可動体６９の揺動に伴って回転する可動装飾体７３,８０を配設したので、可動体６９の動作による演出効果を向上することができる。しかも、可動装飾体７３,８０の姿勢は、姿勢維持機構９２によって一定に維持し得るよう構成されているので(図２,図１７参照)、該可動装飾体７３,８０に施す意匠の自由度が増し、装飾性を高めることができる。また、前記作動機構８８および姿勢維持機構９２としてラック部９１,９３,９４と歯車９０,７６,８３とからなる歯車機構を用いているので、簡単な構成で可動装飾体７３,８０を適正な姿勢に維持することができる。
【００６９】
前記可動演出装置５０では、可動体６９に配設した２つの可動装飾体７３,８０を、前記表示装置１７における表示部１７ａの前側で斜めに並ぶ状態および上下方向に直線状に並ぶ状態とに変化するよう構成したので、インパクトのある動作演出によって興趣をより向上し得る。また、待機位置および作動位置で２つの可動装飾体７３,８０に形成されている２つの図柄７７ａ,８４ａにより形成される一連の図柄は同じであるので、可動体６９を動作することで２つの可動装飾体７３,８０により形成される一連の図柄を強調することができ、興趣を高め得る。しかも、各可動装飾体７３,８０は一定の姿勢を維持したまま移動するので、両可動装飾体７３,８０により形成される一連の図柄を遊技者に認識させたまま該一連の図柄を移動させるインパクトのある演出によって興趣を向上し得る。
【００７０】
更に、前記可動体６９には、該可動体６９の移動(回転)によって姿勢が変化する固定装飾体９５を配設し、該固定装飾体９５を、姿勢変化しない両可動装飾体７３,８０の間に位置する状態や両可動装飾体７３,８０の間から離れた状態とに変化するので、姿勢変化がある固定装飾体９５と姿勢変化がない可動装飾体７３,８０との組み合わせによって装飾性を高めることができる。
【００７１】
ここで、前記可動体６９の待機位置において該可動体６９と作動アーム６４とを上下方向に重なるように配設すると共に、該可動体６９に配設した前記固定装飾体９５の上部を作動アーム６４の前側に形成したアーム側収容部６６に収容するようにしたので(図１６参照)、固定装飾体９５と可動装飾体７３,８０とを前後に重なるように構成しても該可動装飾体７３,８０の前方への突出寸法を小さく抑えることができる。更に、作動アーム６４の後偏倚部６４ｂをベース部材５１の前側に形成したベース側収容部５４に収容するようにしてあるので、可動体６９における固定装飾体９５の配設位置における可動装飾体７３,８０の前方への突出寸法をより小さく抑えることができる。
【００７２】
(変更例)
本願発明は、前述した実施例の構成に限定されるものではなく、その他の構成を適宜に採用することができる。
(1) 実施例では、可動体に対して回動自在な可動装飾体を２つ配設したが、該可動装飾体は１つあるいは３つ以上であってもよい。
(2) 実施例では、可動演出装置を設置部材の上板部に配設して、可動体を上下方向に揺動させるよう構成したが、可動演出装置を下板部に配設してもよい。また、可動演出装置を左板部または右板部に配設し、可動体を左右方向に揺動させる構成を採用し得る。
(3) 実施例では、装飾体の姿勢維持機構として歯車とラック部とを組み合わせた歯車機構を採用したが、プーリとベルトやワイヤ等の索体とを組み合わせた機構やリンク機構等、その他公知の各種機構を採用し得る。
(4) 実施例では、可動体の待機位置で２つの可動装飾体(装飾体)を斜めに並ぶように配置したが、左右方向に並ぶように配置し、可動体が作動位置に移動したときに上下方向に並ぶようにする構成としてもよい。
(5) 実施例では、可動体を揺動する駆動機構(駆動手段)を、待機位置において可動体の延出端部側に配置したが、支持端部側に配置するようにしてもよい。
(6) 可動体に対して可動装飾体(装飾体)を回動自在に支持する構造に関しては、実施例における第１可動装飾体を可動体に回動自在に支持する構造を、第２可動装飾体(保持部材)を可動体に回動自在に支持する構造として採用したり、逆に第２可動装飾体(保持部材)を可動体に回動自在に支持する構造を、第１可動装飾体を可動体に回動自在に支持する構造として採用することができる。
(7) 遊技機としては、パチンコ機に限られるものではなく、アレンジボール機やピンボール機、あるいは遊技媒体としてパチンコ球やメダルを用いたスロットマシン等、その他各種の遊技機であってもよい。
【符号の説明】
【００７３】
５０ 可動演出装置
５９ 駆動モータ(駆動手段)
６９ 可動体
７３ 第１可動装飾体(装飾体)
７６ 第１回転用歯車(回転用歯車)
８０ 第２可動装飾体(装飾体)
８３ 第２回転用歯車(回転用歯車)
８８ 作動機構
８９ 作動部材
９０ 作動歯車
９１ 作動ラック部
９２ 姿勢維持機構
９３ 第１回転用ラック部(回転用ラック部)
９４ 第２回転用ラック部(回転用ラック部)
９５ 固定装飾体
【図１】
2016067395.tif 000003
【図２】
2016067395.tif 000004
【図３】
2016067395.tif 000005
【図４】
2016067395.tif 000006
【図５】
2016067395.tif 000007
【図６】
2016067395.tif 000008
【図７】
2016067395.tif 000009
【図８】
2016067395.tif 000010
【図９】
2016067395.tif 000011
【図１０】
2016067395.tif 000012
【図１１】
2016067395.tif 000013
【図１２】
2016067395.tif 000014
【図１３】
2016067395.tif 000015
【図１４】
2016067395.tif 000016
【図１５】
2016067395.tif 000017
【図１６】
2016067395.tif 000018
【図１７】
2016067395.tif 000019
【図１８】
2016067395.tif 000020
【図１９】
2016067395.tif 000021